【手続補正書】
【提出日】平成27年5月12日(2015.5.12)
【手続補正１】
【補正対象書類名】特許請求の範囲
【補正対象項目名】全文
【補正方法】変更
【補正の内容】
【特許請求の範囲】
【請求項１】
固定デバイスであって、
第１の骨部分に取設されるように構成される第１のフットプレート本体を含む、第１のフットプレートと、
第２の骨部分に取設されるように構成される第２のフットプレート本体を含む、第２のフットプレートと、
前記第１及び第２のフットプレート本体間で連結される結合要素であって、前記結合要素が、枢動軸を画定するヒンジを含み、前記第１のフットプレート本体が、前記第２のフットプレート本体に印加される力に応答して、前記枢動軸の周囲で前記第２のフットプレート本体に対して受動的に回転可能である、結合要素と、を備える、固定デバイス。
【請求項２】
前記第１及び第２のフットプレートが、各々、取設部分を更に備え、前記取設部分が各々、ボアを画定し、前記結合要素が、前記第１及び第２のフットプレートを接続するように、前記ボアの各々内に嵌装するように構成される、請求項１に記載の固定デバイス。
【請求項３】
前記結合要素が、ネジ山が付いた外面を画定し、前記取設部分が、前記ボアを少なくとも部分的に画定する、ネジ山が付いた内面を画定し、前記第１及び第２のフットプレートが相互に対して枢動する時、前記結合要素及び前記ボアの対応するネジ山が、嵌合し、また、前記第１及び第２のフットプレートを第１の方向に沿って相互に対して平行移動させるようにする、請求項２に記載の固定デバイス。
【請求項４】
前記第１及び第２のフットプレート本体が、各々、少なくとも１つの締結具を受容して前記第１及び第２のフットプレート本体を前記第１及び第２の骨部分にそれぞれ固設するように構成される、固設部分を備え、前記固設部分の各々が、プレート部材であるように構成され、前記プレート部材が、締結具を受容するように構成される上面と、前記第１又は第２の骨部分に一致するように構成される下面と、前記プレート部材の外周に沿って、前記上面から前記下面に延在する側壁とを備え、前記プレート部材の各々が、締結具を受容して前記プレート部材を基底骨構造に固設するように構成される、少なくとも１つの陥凹部を備える、請求項１に記載の固定デバイス。
【請求項５】
前記結合要素が、第１の方向に沿って、前記第１及び第２のフットプレート本体間で連結され、前記結合要素が、可変スペーサを画定し、それにより、前記第１及び第２のフットプレート本体の少なくとも１つ又は両方が、前記第１の方向に沿って第１の距離分、前記第１及び第２のフットプレート本体の他方から離間する第１の位置から、前記第１の方向に沿って第２の距離分、前記第１及び第２のフットプレート本体の他方から離間する第２の位置まで、前記可変スペーサに沿って移動するように作動されることができ、前記第２の距離が前記第１の距離とは異なるようにする、請求項１に記載の固定デバイス。
【請求項６】
上顎が頭蓋の残りの部分から分離された後、前記デバイスが、前記上顎及び前記頭蓋の前記残りの部分に取設されるように構成され、
前記第１のフットプレート本体が、前記頭蓋の前記残りの部分に取設されるように構成され、
前記第２のフットプレート本体が、前記分離された上顎に取設されるように構成され、
前記第１及び第２のフットプレート本体の少なくとも１つが、前記第１及び第２のフットプレート本体の他方に対して回転可能であり、それにより、矢状分割が、前記上顎を第１及び第２のセグメントに分離する時、前記第１及び第２のセグメントの少なくとも１つは、前記第１及び第２のフットプレート本体が、前記頭蓋の前記残りの部分及び前記上顎にそれぞれ取設された後、前記枢動軸周辺で、前記第１及び第２のセグメントの他方に対して、角度的に調節可能である、請求項１に記載の固定デバイス。
【請求項７】
前記結合要素が、第１の方向に沿って、前記第１及び第２のフットプレート本体間で連結され、前記固定デバイスが、前記第１及び第２のフットプレート本体が、前記頭蓋の前記残りの部分及び前記上顎にそれぞれ取設された後、前記頭蓋の前記残りの部分に対して前記分離された上顎を前進させるように、前記第１の方向に沿って前記第１及び第２のフットプレート間の距離を変化させるように構成される、作動具を更に備える、請求項６に記載の固定デバイス。
【請求項８】
結合要素が、可変スペーサを含み、それにより、前記第１及び第２のフットプレート本体の少なくとも１つ又は両方が、前記第１の方向に沿って第１の距離分、前記第１及び第２のフットプレート本体の他方から離間する第１の位置から、前記第１の方向に沿って第２の距離分、前記第１及び第２のフットプレート本体の他方から離間する第２の位置まで、前記可変スペーサに沿って移動するように作動されることができ、前記第２の距離が前記第１の距離とは異なるようにする、請求項７に記載の固定デバイス。
【請求項９】
前記作動具が、
外面を伴う本体を有するスリーブであって、前記本体が、前記本体を通って延在するボアを画定する、スリーブと、
ネジであって、前記ネジが前記スリーブに対して回転することができるが、前記スリーブに対して平行移動することができないように、前記スリーブの前記ボアに接続され、かつその中に少なくとも部分的に配置される、ネジと、を備え、
前記ネジの回転が、前記第１及び第２のフットプレートを、前記第１の方向に実質的に垂直である第２の方向に沿って、互いに対して平行移動させる、請求項７に記載の固定デバイス。
【請求項１０】
前記第１のフットプレートが、
前記ネジにネジ式に固設されるように構成される内部ボアを画定する、第１の作動具取設部分を更に備える、請求項９に記載の固定デバイス。
【請求項１１】
前記第１のフットプレート本体が前記頭蓋の前記残りの部分に取設され、かつ前記第２のフットプレート本体が前記分離された上顎に取設されると、前記第１及び第２のセグメントの少なくとも１つを、前記第１及び第２のセグメントの他方に対して、角度的に調節することが、前記第１及び第２のフットプレートの少なくとも１つを、前記第１及び第２のフットプレートの他方に対して、前記枢動軸に沿って平行移動させる、請求項７に記載の固定デバイス。
【請求項１２】
前記ヒンジが、前記第１及び第２のフットプレートの１つに連結されるネジ山付き支柱を備え、前記ヒンジが、前記第１及び第２のフットプレートの他方に連結されるネジ山付き受容スリーブを更に備え、前記受容スリーブが、前記支柱に回転可能かつネジ式に取設される、請求項７に記載の固定デバイス。
【請求項１３】
前記ヒンジが、対応する第１の相対的角度位置から第２の対応する角度位置へ、前記第１及び第２のフットプレートを角度的に調節するように、前記枢動軸の周囲で第１の位置と第２の位置との間を移動可能であり、前記ヒンジが、前記固定デバイスの基底骨への固定の間、前記第１及び第２のフットプレートを前記第２の角度位置に維持するように構成される、請求項７に記載の固定デバイス。
【請求項１４】
前記ヒンジが、前記第１及び第２のフットプレートを接続するヒンジ本体を備え、前記ヒンジ本体が、一対の離間する脚部を画定するように前記本体内に位置付けられ、かつ寸法決定される、１つ又は２つ以上の間隙を画定し、前記脚部の少なくとも１つが、前記第１及び第２の骨取設部分の角度配向を調節するように変形可能である、請求項７に記載の固定デバイス。
【請求項１５】
前記枢動軸が、前記第１の方向に実質的に平行である、請求項７に記載の固定デバイス。
【請求項１６】
前記作動具が、前記第１の方向及び前記第２の方向の両方に沿って、前記第１及び第２のフットプレート間の線形距離を変化させるように配設され、前記枢動軸が、前記第１の方向からずれている、請求項９に記載の固定デバイス。
【請求項１７】
前記第１及び第２の骨に面する表面が、第１及び第２のそれぞれの平面を実質的に画定し、前記作動具が、前記それぞれの第１及び第２の平面に沿って、前記第１及び第２のフットプレートの少なくとも１つを他方に対して平行移動させるように配設される、請求項７に記載の固定デバイス。
【請求項１８】
前記第１及び第２の骨に面する表面が、最初の第１及び第２の平面に実質的に位置し、前記ヒンジが、前記第１及び第２の骨に面する表面の少なくとも１つを、前記対応する最初の平面の外に移動させる、請求項１７に記載の固定デバイス。
【請求項１９】
前記ヒンジが、前記作動具に固設されるように構成される、第１のヒンジ部材と、前記第１のフットプレート本体に固設され、かつ前記第１のヒンジ部材に回転的に取設されるように構成される、第２のヒンジ部材と、を更に備え、前記第１及び第２のヒンジ部材が、相互に対して前記枢動軸の周囲で回転することができるようにする、請求項７に記載の固定デバイス。
【請求項２０】
前記第１及び第２のヒンジ部材の相対的平行移動が阻止されるように、前記ヒンジが、前記第１及び第２のヒンジ部材を互いに対して軸方向に固設するように構成される、軸方向の係止機構を更に備える、請求項１９に記載の固定デバイス。
【請求項２１】
前記第１及び第２のヒンジ部材が、前記枢動軸の周囲で相互に対して回転することができないように、前記ヒンジが、前記第１及び第２のヒンジ部材を互いに対して回転的に固設するように構成される、回転的係止機構を更に備える、請求項１９に記載の固定デバイス。
【請求項２２】
前記第１及び第２のヒンジ部材が、前記第１及び第２のヒンジ部材が前記枢動軸の周囲で互いに対して回転すること、並びに、前記枢動軸からずれた他の軸の周囲での限られた自在の調節可能性を可能にする、玉継ぎ手を備える、請求項１９に記載の固定デバイス。
【請求項２３】
前記第１及び第２のヒンジ部材の相対的平行移動が阻止されるように、前記ヒンジが、前記第１及び第２のヒンジ部材を互いに対して軸方向に固設するように構成される、軸方向の係止機構を更に備える、請求項２２に記載の固定デバイス。
【請求項２４】
前記第１及び第２のヒンジ部材が、前記枢動軸の周囲で相互に対して回転することができないように、前記ヒンジが、前記第１及び第２のヒンジ部材を互いに対して回転的に固設するように構成される、回転的係止機構を更に備える、請求項２２に記載の固定デバイス。
【請求項２５】
前記ヒンジが、
ヒンジスペーサ部材であって、前記ヒンジスペーサ部材を前記作動具に固設するように構成される作動具取設部分、及び前記第１のフットプレートの内部ボア内に受容されるように構成される第１のフットプレート取設部分を有し、前記第１のフットプレート取設部分が、内部ボアを画定するコレット部材を含む、ヒンジスペーサ部材と、
前記コレット部材の前記内部ボアの中へ挿入されるように構成される、ピンと、を備え、
前記コレット部材が、前記第１のフットプレートの前記内部ボア内に位置付けられる時、前記ピンは、前記コレット部材が、前記コレット部材及び前記第１のフットプレートが相互に対して平行移動することができる非係止構成から、前記コレット部材及び前記第１のフットプレートが相互に対して平行移動することを阻止される係止構成へ拡張するように、前記コレット部材の前記内部ボアの中へ挿入されることができる、請求項７に記載の固定デバイス。
【請求項２６】
第２の枢動軸を画定する、第２のヒンジを更に備え、前記第２のフットプレート本体が、前記第２の枢動軸の周囲で、前記第１のフットプレート本体に対して角度的に調節可能であるようにする、請求項２５に記載の固定デバイス。
【請求項２７】
前記第２のヒンジが、
第２のヒンジスペーサ部材であって、前記第２のヒンジスペーサ部材を前記作動具に固設するように構成される作動具取設部分、及び前記第２のフットプレートの内部ボア内に受容されるように構成される第２のフットプレート取設部分を有し、前記第２のフットプレート取設部分が、内部ボアを画定する第２のコレット部材を含む、第２のヒンジスペーサ部材と、
前記第２のコレット部材の前記内部ボアの中へ挿入されるように構成される、第２のピンと、を備え、
前記第２のコレット部材が、前記第２のフットプレートの前記内部ボア内に位置付けられる時、前記第２のピンは、前記第２のコレット部材が、前記第２のコレット部材及び前記第２のフットプレートが相互に対して平行移動することができる非係止構成から、前記第２のコレット部材及び前記第２のフットプレートが相互に対して平行移動することを阻止される係止構成へ拡張するように、前記第２のコレット部材の前記内部ボアの中へ挿入されることができる、請求項２６に記載の固定デバイス。
【請求項２８】
前記ヒンジが、
ヒンジ本体であって、前記ヒンジ本体を前記作動具に固設するように構成される作動具取設部分、及び前記ヒンジ本体を前記第１のフットプレートに固設するように構成される第１のフットプレート取設部分を有し、前記第１のフットプレート及び前記第１のフットプレート取設部分は、各々、ピン孔を含む、ヒンジ本体と、
前記第１のフットプレート及び前記第１のフットプレート取設部分の前記ピン孔に挿入されるように構成される、ピンと、を備え、
前記第１のフットプレート及び前記第１のフットプレート取設部分の前記ピン孔が整合される時、前記ピンは、前記第１のフットプレートが、前記ピンの周囲及び前記枢動軸の周囲で前記ヒンジ本体に対して回転することができるように、前記第１のフットプレート及び前記第１のフットプレート取設部分の前記ピン孔を通って挿入されることができる、請求項７に記載の固定デバイス。
【請求項２９】
第２のヒンジを更に備え、前記第２のヒンジが、
第２のヒンジ本体であって、前記第２のヒンジ本体を前記作動具に固設するように構成される作動具取設部分、及び前記第２のヒンジ本体を前記第２のフットプレートに固設するように構成される第２のフットプレート取設部分を有し、前記第２のフットプレート及び前記第２のフットプレート取設部分が、各々、ピン孔を含む、第２のヒンジ本体と、
前記第２のフットプレート及び前記第２のフットプレート取設部分の前記ピン孔の中へ挿入されるように構成される、第２のピンと、を含み、
前記第２のフットプレート及び前記第２のフットプレート取設部分の前記ピン孔が整合される時、前記ピンは、前記第２のフットプレートが、前記第２のピンの周囲及び第２の枢動軸の周囲で、前記ヒンジ本体に対して回転することができるように、前記第２のフットプレート及び前記第２のフットプレート取設部分の前記ピン孔を通って挿入されることができる、請求項２８に記載の固定デバイス。
【請求項３０】
１つの方向における前記枢動軸の周囲での前記第１のフットプレートの回転を可能にしつつ、反対方向における前記枢動軸の周囲での回転を阻止するように構成される、一方向ラチェットシステムを更に含み、前記一方向ラチェットシステムが、
前記第１のフットプレートに回転的に連結されるギアであって、各々が前側及び後側を画定する、複数の歯を有する、ギアと、
前記ギアに係合するように構成される歯止めであって、前記伸延具に取設されるアームと、前面、対向する後面、及び前記ギアに係合するように構成される、前記前面から前記後面に延在する底面を有する、先端とを含む、歯止めと、を含み、
前記ギアは、第１の方向において前記枢動軸の周囲で回転することができるが、第２の方向における前記ギアの回転は、前記歯止めの前記先端の前記前面と、前記ギアの前記歯のうちの１つの前記後側との間の干渉によって遮断される、請求項７に記載の固定デバイス。